【手続補正書】
【提出日】平成15年9月9日(2003.9.9)
【手続補正１】
【補正対象書類名】特許請求の範囲
【補正対象項目名】全文
【補正方法】変更
【補正の内容】
【特許請求の範囲】
【請求項１】
電源装置と共に使用するための、内部不関電極デバイスであって、該電源装置は、電力出力コネクタおよび電力リターンコネクタを備え、該内部不関電極デバイスは、以下：
可撓性シャフトであって、遠位端、遠位部分、近位端、および近位部分を規定する、可撓性シャフト；
少なくとも１つのエネルギー伝達デバイスであって、該可撓性シャフトの該遠位部分に支持されて、身体内に挿入されるように適合されている、少なくとも１つのエネルギー伝達デバイス；ならびに
不関電極コネクタであって、該少なくとも１つのエネルギー伝達デバイスに作動可能に接続されており、そして該電力リターンコネクタと嵌合するように適合されている、不関電極コネクタ、
を備える、内部不関電極デバイス。
【請求項２】
前記可撓性シャフトが、少なくとも１２インチ（３０．５ｃｍ）の長さである、請求項１に記載の内部不関電極デバイス。
【請求項３】
前記可撓性シャフトの前記遠位部分が、４ｍｍ未満の直径を規定する、請求項１に記載の内部不関電極デバイス。
【請求項４】
前記少なくとも１つのエネルギー伝達デバイスが、電極を備える、請求項１に記載の内部不関電極デバイス。
【請求項５】
前記少なくとも１つのエネルギー伝達デバイスが、間隔を空けた複数のエネルギー伝達デバイスを備える、請求項１に記載の内部不関電極デバイス。
【請求項６】
前記少なくとも１つのエネルギー伝達デバイスが、可撓性電極を備える、請求項１に記載の内部不関電極デバイス。
【請求項７】
前記シャフトの前記近位端から前記不関電極コネクタへと延びる、ケーブルをさらに備える、請求項１に記載の内部不関電極デバイス。
【請求項８】
前記電力出力コネクタが、第１の構成を規定し、前記電力リターンコネクタが、該第１の構成とは異なる第２の構成を規定し、そして前記不関電極コネクタが、該第２の構成に実質的に対応する構成を規定する、請求項１に記載の内部不関電極デバイス。
【請求項９】
前記電力出力コネクタが、第１の形状を規定し、前記電力リターンコネクタが、該第１の形状とは異なる第２の形状を規定し、そして前記不関電極コネクタが、該第２の形状に実質的に対応する形状を規定する、請求項８に記載の内部不関電極デバイス。
【請求項１０】
前記電力リターンコネクタが、第１および第２の電力リターンコネクタを備え、前記少なくとも１つのエネルギー伝達デバイスが、少なくとも第１および第２のエネルギー伝達デバイスを備え、そして前記不関電極コネクタが、それぞれ該第１および第２のエネルギー伝達デバイスに接続された第１および第２の不関電極コネクタを備える、請求項１に記載の内部不関電極デバイス。
【請求項１１】
前記第１のエネルギー伝達デバイスが、前記第１の不関電極コネクタに接続された、間隔を空けた複数のエネルギー伝達デバイスを備え、そして前記第２のエネルギー伝達デバイスが、前記第２の不関電極コネクタに接続された、間隔を空けた複数のエネルギー伝達デバイスを備える、請求項１０に記載の内部不関電極デバイス。
【請求項１２】
電源装置と共に使用するための、内部不関電極デバイスであって、該電源装置は、第１の構成を規定する電力出力コネクタ、および該第１の構成とは異なる第２の構成を規定する電力リターンコネクタを備え、該内部不関電極デバイスが、以下：
可撓性シャフトであって、遠位端、遠位部分、近位端、および近位部分を規定する、可撓性シャフト；
複数の電極であって、該可撓性シャフトの遠位部分に支持されて、身体内に挿入されるように適合されている、複数の電極；ならびに
不関電極コネクタであって、該複数の電極に作動可能に接続されており、そして該第２の構成に実質的に対応する構成を規定する、不関電極コネクタ、
を備える、内部不関電極デバイス。
【請求項１３】
前記電力リターンコネクタが、第１および第２の電力リターンコネクタを備え、前記不関電極コネクタが、第１および第２の不関電極コネクタを備え、そして前記複数の電極が、該第１の不関電極コネクタに作動可能に接続された、第１の複数の電極、および該第２の不関電極コネクタに作動可能に接続された、第２の複数の電極を備える、請求項１２に記載の内部不関電極デバイス。
【請求項１４】
前記電力出力コネクタが、第１の形状を規定し、前記電力リターンコネクタが、該第１の形状とは異なる第２の形状を規定し、そして前記不関電極コネクタが、該第２の形状に実質的に対応する形状を規定する、請求項１２に記載の内部不関電極デバイス。
【請求項１５】
システムであって、以下：
電源装置であって、電力出力コネクタおよび電力リターンコネクタを備える、電源装置；ならびに
内部不関電極デバイスであって、以下：
可撓性シャフトであって、遠位端、遠位部分、近位端、および近位部分を規定する、可撓性シャフト；
少なくとも１つのエネルギー伝達デバイスであって、該可撓性シャフトの該遠位部分に支持されて、身体内に挿入されるように適合されている、少なくとも１つのエネルギー伝達デバイス；および
不関電極コネクタであって、該少なくとも１つのエネルギー伝達デバイスに作動可能に接続されており、そして該電力リターンコネクタと嵌合するように適合されている、不関電極コネクタ、
を備える、内部不関電極デバイス、
を備える、システム。
【請求項１６】
前記可撓性シャフトが、少なくとも１２インチ（３０．５ｃｍ）の長さである、請求項１５に記載のシステム。
【請求項１７】
前記可撓性シャフトの前記遠位部分が、４ｍｍ未満の直径を規定する、請求項１５に記載のシステム。
【請求項１８】
前記少なくとも１つのエネルギー伝達デバイスが、電極を備える、請求項１５に記載のシステム。
【請求項１９】
前記少なくとも１つのエネルギー伝達デバイスが、間隔を空けた複数のエネルギー伝達デバイスを備える、請求項１５に記載のシステム。
【請求項２０】
前記少なくとも１つのエネルギー伝達デバイスが、可撓性電極を備える、請求項１５に記載のシステム。
【請求項２１】
前記シャフトの前記近位端から前記不関電極コネクタへと延びる、ケーブルをさらに備える、請求項１５に記載のシステム。
【請求項２２】
前記電力出力コネクタが、第１の構成を規定し、前記電力リターンコネクタが、該第１の構成とは異なる第２の構成を規定し、そして前記不関電極コネクタが、該第２の構成に実質的に対応する構成を規定する、請求項１５に記載のシステム。
【請求項２３】
前記電力出力コネクタが、第１の形状を規定し、前記電力リターンコネクタが、該第１の形状とは異なる第２の形状を規定し、そして前記不関電極コネクタが、該第２の形状に実質的に対応する形状を規定する、請求項２２に記載のシステム。
【請求項２４】
前記電力リターンコネクタが、第１および第２の電力リターンコネクタを備え、前記少なくとも１つのエネルギー伝達デバイスが、少なくとも第１および第２のエネルギー伝達デバイスを備え、そして前記不関電極コネクタが、それぞれ該第１および第２のエネルギー伝達デバイスに接続された第１および第２の不関電極コネクタを備える、請求項１５に記載のシステム。
【請求項２５】
前記第１のエネルギー伝達デバイスが、前記第１の不関電極コネクタに接続された、間隔を空けた複数のエネルギー伝達デバイスを備え、そして前記第２のエネルギー伝達デバイスが、前記第２の不関電極コネクタに接続された、間隔を空けた複数のエネルギー伝達デバイスを備える、請求項２４に記載のシステム。
【請求項２６】
請求項１５に記載のシステムであって、さらに、以下：
電気生理学的デバイスであって、少なくとも１つのエネルギー伝達デバイス、および該少なくとも１つのエネルギー伝達デバイスに作動可能に接続された電気生理学的デバイスコネクタを備え、そして前記電力出力コネクタと嵌合するように適合されている、電気生理学的デバイス、
を備える、システム。
【請求項２７】
前記電気生理学的デバイスが、外科プローブを備える、請求項２６に記載のシステム。
【請求項２８】
電源装置と共に使用するための電気生理学的手順キットであって、該電源装置は、電力出力コネクタおよび電力リターンコネクタを備え、該電気生理学的手順キットは、以下：
該電力リターンコネクタに接続されるように適合されている、内部不関電極デバイス；および
該電力出力コネクタに接続されるように適合されている、電気生理学的デバイス、
を備える、電気生理学的手順キット。
【請求項２９】
前記内部不関電極デバイスが、可撓性シャフトおよび少なくとも１つのエネルギー伝達デバイスを備え、該可撓性シャフトが、遠位端、遠位部分、近位端、および近位部分を規定しており、そして該少なくとも１つのエネルギー伝達デバイスが、該可撓性シャフトの該遠位部分に支持されて身体内に挿入されるように適合されている、請求項２８に記載の電気生理学的手順キット。
【請求項３０】
前記少なくとも１つのエネルギー伝達デバイスが、複数の電極を備える、請求項２９に記載の電気生理学的手順キット。
【請求項３１】
前記電気生理学的デバイスが、外科プローブを備える、請求項２８に記載の電気生理学的手順キット。
【請求項３２】
前記内部不関電極デバイスが、第１の構成を規定するコネクタを備え、そして前記電気生理学的デバイスが、該第１の構成とは異なる第２の構成を規定するコネクタを備える、請求項２８に記載の電気生理学的手順キット。
【請求項３３】
前記内部不関電極デバイスコネクタが、第１の形状を規定し、そして前記電気生理学的デバイスコネクタが、該第１の形状とは異なる第２の形状を規定する、請求項３２に記載の電気生理学的手順キット。
【請求項３４】
請求項２８に記載の、電気生理学的手順キットであって、さらに、以下：
滅菌可能なパッケージであって、前記内部不関電極デバイスおよび前記電気生理学的デバイスを収容する、滅菌可能なパッケージ、
を備える、電気生理学的手順キット。